(57)【要約】【課題】  取り付けるブレーカの数に対して少ない固定部材で取り付けでき、更にブレーカを取り外す際には固定部材を取り外す必要がない。【解決手段】  パネル１の前側固定部Ｆ２は、パネル１上に列設した複数のブレーカ２に亘る幅を有して起立形成され、ブレーカ２の前側に設けられた前側突起２４を保持する保持溝１２ａが一定間隔で形成された帯片１２と、保持溝１２ａに配置された前側突起２４の上部を覆って前側突起２４が保持溝から浮くのを防止する抑え片３２を備えた固定板３とを有し、抑え片３２には前側突起２４を上方に通過可能とする切り欠き３２ａが複数形成されると共に、固定板３はブレーカ２の横方向に所定量スライドさせてパネル１に固定可能であり、固定板３の固定位置をスライドさせて変更することで前側突起２４を上方に通過可能な状態と、通過不可なブレーカ２の固定状態とを選択できる。【選択図】  図３
2019057989.tif 000002
【特許請求の範囲】
【請求項１】
分電盤に設置されたパネルに、ブレーカの負荷端子を配置した前側を固定する前側固定部、及び前記ブレーカの電源側端子を配置した後側を固定する後側固定部が設けられ、複数の前記ブレーカがそれぞれ前記前側固定部及び後側固定部を用いて前記パネルに列設されるブレーカ取付構造であって、
前記ブレーカの前側下部には、前記前側固定部に係止させるための前側突起が設けられている一方、
前記前側固定部は、列設した複数の前記ブレーカに亘る幅を有して起立形成され、前記前側突起を保持する保持溝が一定間隔で形成された帯片と、
前記保持溝に配置された前記前側突起の上部に配置され、前記前側突起が前記保持溝から浮いて前記ブレーカが前記パネルから離れるのを防止する抑え片を備えた保持手段とを有し、
前記抑え片には、前記前側突起を上方に通過可能とする切り欠きが複数形成されると共に、前記保持手段は前記ブレーカの横方向に所定量スライドさせて前記パネルに固定可能であり、
前記保持手段を前記横方向にスライドして固定することで、前記前側突起を上方に通過可能として前記ブレーカの取り外しを可能とする状態と、列設された全ての前記ブレーカの前記前側突起が前記抑え片により抑えられて、前記ブレーカが前記パネルから分離できない固定状態とを選択できることを特徴とするブレーカ取付構造。
【請求項２】
前記切り欠きは、列設される前記ブレーカの間隔に対して異なる所定の間隔で形成されて成り、
前記保持手段の固定位置を選択することで、任意の１つの前記切り欠きのみが前記前側突起を上方に通過可能として前記ブレーカの取り外しが可能となることを特徴とする請求項１記載のブレーカ取付構造。
【請求項３】
前記切り欠きの形成間隔は、前記ブレーカの列設間隔より狭いことを特徴とする請求項２記載のブレーカ取付構造。
【請求項４】
前記ブレーカの後側下部には、前記後側固定部に係止させるための後側突起が設けられ、前記後側固定部には前記後側突起を挿入して係止する係止孔を備えた起立片を具備して成ることを特徴とする請求項１乃至３の何れかに記載のブレーカ取付構造。
【発明の詳細な説明】
【技術分野】
【０００１】
本発明はブレーカを分電盤に取り付けるブレーカ取付構造に関する。
【背景技術】
【０００２】
分電盤にブレーカを取り付ける場合、ブレーカ底部の前後２箇所を分電盤内に組み付けられたパネルに係止して取り付ける構造が普及している。例えば、特許文献１では、電源側端子を備えた背面側の下部をパネルに形成されている係止片に係止させた後、負荷側端子を備えた前面側の下部を別途形成した取付部品を用いてパネルに密着させて一体化した。
【先行技術文献】
【特許文献】
【０００３】
【特許文献１】特開２００１−３２７００９号公報
【発明の概要】
【発明が解決しようとする課題】
【０００４】
上述したように、ブレーカを固定する上記取付部品のような固定部材を別途用いた取付構造は、ブレーカの前方から取付部品を挿入する簡易な操作でブレーカの取り付けができた。しかしながら、固定部材はブレーカの数だけ必要であるため、１つの分電盤にブレーカを取り付けるだけでも多くの固定部材が必要であったし、交換等でブレーカを取り外す際には固定部材を取り外さなければならなかったため、固定部材を紛失したり破損してしまう場合があり、その際には新たな固定部材を調達しなければならなかった。
【０００５】
そこで、本発明はこのような問題点に鑑み、取り付けるブレーカの数に対して少ない固定部材で取り付けでき、更にブレーカを取り外す際には固定部材を取り外す必要がないブレーカ取付構造を提供することを目的としている。
【課題を解決するための手段】
【０００６】
上記課題を解決する為に、請求項１の発明は、分電盤に設置されたパネルに、ブレーカの負荷端子を配置した前側を固定する前側固定部、及びブレーカの電源側端子を配置した後側を固定する後側固定部が設けられ、複数のブレーカがそれぞれ前側固定部及び後側固定部を用いてパネルに列設されるブレーカ取付構造であって、ブレーカの前側下部には、前側固定部に係止させるための前側突起が設けられている一方、前側固定部は、列設した複数のブレーカに亘る幅を有して起立形成され、前側突起を保持する保持溝が一定間隔で形成された帯片と、保持溝に配置された前側突起の上部に配置され、前側突起が保持溝から浮いてブレーカがパネルから離れるのを防止する抑え片を備えた保持手段とを有し、抑え片には、前側突起を上方に通過可能とする切り欠きが複数形成されると共に、保持手段はブレーカの横方向に所定量スライドさせてパネルに固定可能であり、保持手段の固定位置を横方向にスライドして固定することで、前側突起を上方に通過可能としてブレーカの取り外しを可能とする状態と、列設された全てのブレーカの前側突起が抑え片により抑えられて、ブレーカがパネルから分離できない固定状態とを選択できることを特徴とする。
この構成によれば、ブレーカがパネルから離れるのを防止する保持手段の固定位置により、ブレーカの前側を浮き上がらせて上方へ移動し、取り外しを可能とした状態と、全てのブレーカの取り外しを不可とする状態とを選択できるため、１つの保持手段を使用して然も取り外すこと無くブレーカの取り外しが可能となり、部材を削減できる。
【０００７】
請求項２の発明は、請求項１に記載の構成において、切り欠きは、列設されるブレーカの間隔に対して異なる所定の間隔で形成されて成り、保持手段の固定位置を選択することで、任意の１つの切り欠きのみが前側突起を上方に通過可能としてブレーカの取り外しが可能となることを特徴とする。
この構成によれば、ブレーカの前側がパネルから離れるのを防止する保持手段の固定位置により、任意の１つのブレーカの保持状態のみ解除してパネルからの取り外しが可能となる。よって、取り外したいブレーカ以外は固定状態を維持できるため、作業し易い。
【０００８】
請求項３の発明は、請求項２に記載の構成において、切り欠きの形成間隔は、ブレーカの列設間隔より狭いことを特徴とする。
この構成によれば、僅かなスライド量で順次取り外し可能なブレーカを変更することが可能となるし、保持手段の幅をブレーカ列の幅より短くでき、省スペースで取り付けできる。
【０００９】
請求項４の発明は、請求項１乃至３の何れかに記載の構成において、ブレーカの後側下部には、後側固定部に係止させるための後側突起が設けられ、後側固定部には後側突起を挿入して係止する係止孔を備えた起立片を具備して成ることを特徴とする。
この構成によれば、ブレーカ後部の固定は後側突起を起立片に挿入するだけであり、前側の係止を解除すれば容易にブレーカを取り外すことができる。
【発明の効果】
【００１０】
本発明によれば、ブレーカがパネルから離れるのを防止する保持手段の固定位置により、ブレーカを浮き上がらせて取り外しを可能とした状態と、全てのブレーカの取り外しを不可とする状態とを選択できるため、１つの保持手段を使用して然も取り外すこと無くブレーカの取り外しが可能となり、部材を削減できる。
【図面の簡単な説明】
【００１１】
【図１】本発明に係るブレーカ取付構造の一例を示す説明図であり、分電盤のパネルに複数のブレーカを取り付けた状態の斜視図である。
【図２】図１の平面図である。
【図３】図１のパネルからブレーカを分離した分解説明図である。
【図４】図２のＡ部を拡大した図である。
【図５】図４において、隠れ線を削除した図である。
【図６】図４の状態から固定板を僅かにスライドさせた図である。
【図７】図６の状態から固定板を僅かにスライドさせた図である。
【図８】図７の状態から固定板を僅かにスライドさせた図である。
【図９】Ｂ部拡大図である。
【発明を実施するための形態】
【００１２】
以下、本発明を具体化した実施の形態を、図面を参照して詳細に説明する。図１，２は本発明に係るブレーカ取付構造の一例を示す説明図であり、図１は斜視図，図２は平面図である。図１、２は分電盤内に配置されたパネル１に複数のブレーカ２を取り付けた状態を示し、パネル１は図示しない分電盤の内部に取り付けられ、ブレーカ（分岐ブレーカ）２はこのパネル１に対して組み付けられている。
そして、３はブレーカ２をパネル１に固定するための保持手段としての固定板、４はブレーカ２が接続される主幹バーであり、左右方向に配設された主幹バー４に対して、その両側となる上下２列でブレーカ２が左右方向に列設される。ブレーカ２は主幹バー４を中心に上下で対向するように配置される。
【００１３】
図３はパネル１からブレーカ２を分離した分解説明図であり、パネル１には図３に示すように中央に主幹バー４が左右方向に配設されており、その上下両側にブレーカ取付スペースＳが設けられている。そして、このブレーカ取付スペースＳは、それぞれ上下端部にブレーカ２をパネル１に固定するための固定部（ブレーカ２の後側を固定する後側固定部Ｆ１、前側を固定する前側固定部Ｆ２）が設けられている。
【００１４】
一方ブレーカ２は、背面に電源側端子２１、前面に負荷側端子２２が設けられ、双方の面の下端にパネル１の固定部Ｆ１，Ｆ２に固定するための突起（後側突起２３、前側突起２４）が設けられている。尚、ブレーカ２の上部に設けられた２５は分岐出力である負荷側端子２２からの出力をオン／オフ操作する操作ハンドルである。
【００１５】
パネル１の固定部Ｆ１，Ｆ２は、ブレーカ２を固定するための複数の係止部が形成され、個々の係止部はそれぞれブレーカ２の列設間隔に合わせた間隔で左右方向に等間隔で形成されている。
図９は図３のＢ部を拡大した図であり、固定部Ｆ１，Ｆ２を示している。この図９に示すように、後側固定部Ｆ１に形成された係止部は、パネル１から起立形成された舌状の起立片１１であり、起立片１１の内部にはブレーカ２の後側突起２３を挿入して係止する係止孔１１ａが穿設されている。
一方、前側固定部Ｆ２に形成された係止部は、ブレーカ２の前側突起２４を落とし込んで係合させる保持溝１２ａと、図３に示す固定板３とから成り、保持溝１２ａはブレーカ取付スペースＳの幅全体に亘り帯状に起立形成された帯片１２に対して、その上部に所定の一定間隔で凹部を設けて形成されている。
こうして、起立片１１によりブレーカ２の後側を固定し、帯片１２及び固定板３とでブレーカ２の前側を固定している。
【００１６】
ここで、固定板３の構成を具体的に説明する。固定板３は、パネル１にネジ５により取り付けられてパネル１に密着する密着片３１と、ブレーカ取付スペースＳに配置されたブレーカ２の前側突起２４の上部を覆って前側突起２４を保持溝１２ａ内に固定して浮き上がりを防止する抑え片３２とを有している。
そして、パネル１との密着面とパネル１に載置したブレーカ２の前側突起２４の高さに合わせた段差が両者の間に設けられ、固定板３は階段状に折り曲げて形成されている。
また固定板３は、ブレーカ取付スペースＳに配置された複数のブレーカ２全体を覆うよう幅広に形成され、密着片３１の左右にはネジ止めするための長孔３ａが２箇所穿設され、固定板３を左右方向に一定量スライドしてパネル１に固定できるよう構成されている。
【００１７】
抑え片３２には隣接したブレーカ２の間隔と僅かに異なる間隔で前側突起２４を上下に挿通可能な形状の切り欠き３２ａが設けられている。
図４，５は図２のＡ部拡大図であり、図４，５を参照してこの切り欠き３２ａの間隔について説明する。尚、図５は、図４において、破線で示す隠れ線を消去した図である。
図５において、Ｌ１はブレーカ２の列設間隔、Ｌ２は切り欠き３２ａの間隔をそれぞれ示し、ここでは両者の比、Ｌ２／Ｌ１を０．９２としている。このように切り欠き３２ａの間隔Ｌ２をブレーカ２の配列間隔Ｌ１より僅かに狭く、且つ双方とも一定間隔で形成している。
このようにブレーカ２の列設間隔Ｌ１と切り欠き３２ａの形成間隔Ｌ２に僅かな差を設け形成することで、任意の１つのブレーカ２の前側突起２４に対して切り欠き３２ａを合致させることができ、そうすることで１つの前側突起２４の浮き上がりを可能として、即ちブレーカ２の前側の上方への移動を可能として、ブレーカ２の係止状態を外してブレーカ２の取り外しを可能としている。
【００１８】
図６〜８は、長孔３ａにより固定板３のスライド可能な範囲を移動させて、抑え片３２による前側突起２４の係止を外したブレーカ２を変更した状態を示している。先ず、図４に示す固定位置では、右から３番目のブレーカ２の前側突起２４が切り欠き３２ａ内に位置し、上下に移動可能となっている。即ちブレーカ２の前方を浮かせることができる。また、図６では右から２番目のブレーカ２の前方を浮かせることができるし、図７では右隅のブレーカ２の前側を浮かせることが可能となっている。
そして、図８では全てのブレーカ２の前側突起２４の上面は、少なくともその一部が抑え片３２に係止しており、全てのブレーカ２が取り外しできない配置となっている。
こうして、ブレーカ２の前側を浮かせることを可能とすれば、後側は後側突起２３が起立片１１の係止孔１１ａに挿入されて係合しているだけであるため、容易に後側突起２３を抜いてブレーカ２を取り外すことができるし、固定板３の僅かなスライドで全てのブレーカ２を固定できる。
尚、左側３個のブレーカ２は固定板３を図６〜８とは反対方向へスライドさせることで取り外しが可能となる。
【００１９】
このように、ブレーカ２がパネル１から離れるのを防止する固定板３の固定位置を選択することで、ブレーカ２の前側を上方へ移動させて取り外しを可能とした状態と、全てのブレーカ２の取り外しを不可とする状態とを選択できるため、１つの固定板３を使用して然も取り外すこと無くブレーカ２の取り外しが可能となり、部材を削減できる。
また、ブレーカ２の前側がパネル１から離れるのを防止する固定板３の固定位置により、任意の１つのブレーカ２の保持状態のみ解除してパネル１からの取り外しが可能となる。よって、取り外したいブレーカ２以外は固定状態を維持できるため、作業し易い。
更に、切り欠き３２ａの形成間隔がブレーカ２の列設間隔より狭いことで、僅かなスライド量で順次取り外し可能なブレーカ２を変更することが可能であり、固定板３の幅をブレーカ２の列の幅より短くでき、省スペースで取り付けできる。
加えて、ブレーカ２の後部の固定は後側突起２３を起立片１１に挿入するだけであり、前側の係止を解除すれば容易にブレーカ２を取り外すことができる。
【００２０】
尚、上記実施形態では、切り欠き３２ａの間隔Ｌ２をブレーカ２の列設間隔Ｌ１より僅かに狭くしているが、逆に僅かに広くしても良く、任意の１つのブレーカ２のみを取り外し可能な構成とすることは可能である。
また、間隔Ｌ１，Ｌ２を同一にしても良く、同時に全てのブレーカが取り外し可能となるが、固定板はパネル１に取り付けた状態を維持できるし、１つの固定板で複数のブレーカ２を固定できる。
【符号の説明】
【００２１】
１・・パネル、２・・ブレーカ、３・・固定板（保持手段）、３ａ・・長孔、１１・・起立片、１１ａ・・係止孔、１２・・帯片、１２ａ・・保持溝（溝）、２１・・電源側端子、２２・・負荷側端子、２３・・後側突起、２４・・前側突起、３２・・抑え片、３２ａ・・切り欠き、Ｆ１・・後側固定部、Ｆ２・・前側固定部。
【図１】
2019057989.tif 000003
【図２】
2019057989.tif 000004
【図３】
2019057989.tif 000005
【図４】
2019057989.tif 000006
【図５】
2019057989.tif 000007
【図６】
2019057989.tif 000008
【図７】
2019057989.tif 000009
【図８】
2019057989.tif 000010
【図９】
2019057989.tif 000011